(57)【要約】 【課題】  利用者の背中部分にある便秘解消及び便意促進のためのツボを圧すことができると言うような機能を備えた新しいタイプの洋式トイレの提供を図る。【解決手段】  洋式トイレの蓋体の内面に対して、便秘解消及び便意促進に効果があるとされている人体背面のツボと対応する形態に、指圧用小突起を配設したことを特徴とする指圧機能を備えた洋式トイレ。【選択図】  図１
0003118889.tif 000002
【実用新案登録請求の範囲】
【請求項１】
洋式トイレの蓋体(Ｃ)の内面に対して、便秘解消及び便意促進に効果があるとされる人体背面のツボと対応する形態に、指圧用小突起(１,２,３)を配設したことを特徴とする指圧機能を備えた洋式トイレ。
【請求項２】
洋式トイレの蓋体(Ｃ)に被せるためのカバー体(４)に対して、その蓋体の内面側と対応する面に、便秘解消及び便意促進に効果があるとされる人体背面のツボと対応する形態に、指圧用小突起(1a,2a,3a)を配設し、当該カバー体(４)をアダプターとして具備させたことを特徴とする指圧機能を備えた洋式トイレ。
【請求項３】
指圧用小突起の配設形態を、人体背中側にある便秘解消及び便意促進用ツボの全てと対応するように構成した請求項１又は請求項2に記載の指圧機能を備えた洋式トイレ。
【請求項４】
指圧用小突起の配設形態を、人体背中側にある便秘解消及び便意促進用ツボの一部と対応するように構成した請求項１又は請求項2に記載の指圧機能を備えた洋式トイレ。
【考案の詳細な説明】
【技術分野】
【０００１】
本考案は、利用者の背中部分にある便秘解消、並びに便意促進のためのツボを押すことが出来るようにした洋式トイレに関する。
【背景技術】
【０００２】
従来、便秘解消及び便意促進を図るための指圧治療は一般に行われているが、これは、治療院に赴き術者による治療を受けるものである。  然し乍、理想的には便座に座った状態でツボ指圧を行うことが一番好ましいが、自らがこれを行うという制約が必然的に伴うこととなる。
そしてこの場合、腹部側に対する指圧は自ら行うことが可能であるが、比較的有効な手段である背中側のツボに対する指圧は出来ず、ましてや便座に座った状態では全く不可能とされた。
【０００３】
従来、便秘解消等のために洋式トイレに施す手段として、洋式トイレを和式トイレ的利用が可能化されるような手段を採り、これにより、洋式トイレの場合には充分に行えない排便上の「いきみ」を、和式トイレ的利用に基づきこれを行うことが出来るようにし、もって、排便促進を図るようにしたものがある。（例えば、特許文献１参照。）
【０００４】
【特許文献１】特開２００４−２４９０５９号公報
【考案の開示】
【考案が解決しようとする課題】
【０００５】
上述したような従来の手段は、指圧的効果とは全く無関係であり、また、「いきみ」に依存した場合は、血圧上昇を招き易く、重大事態を生じてしまう恐れも存する。
本考案は、便座に座っている状態で、便秘解消及び便意促進のために効果的なツボがある背中部分に対する指圧治療を、自分自身で行うことが出来る、と言う新しいタイプの洋式トイレの提供を図ったものである。
【課題を解決するための手段】
【０００６】
本考案は、洋式トイレの蓋体Ｃの内面に対して、便秘解消及び便意促進に効果があるとされる人体背面のツボと対応する形態に、指圧用小突起１,２,３を配設したことを特徴とする指圧機能を備えた洋式トイレに係るものである。
【０００７】
そして本考案は、洋式トイレの蓋体Ｃに被せるためのカバー体４に対して、その蓋体の内面側と対応する面に、便秘解消に効果があるとされる人体背面のツボと対応する形態に、指圧用小突起1a,2a,3aを配設し、当該カバー体４をアダプターとして具備させたことを特徴とする指圧機能を備えた洋式トイレを第２の実施例とするものである。
【０００８】
また、指圧用小突起の配設形態は、請求項３に記載したように、人体背中側にある便秘解消及び便意促進用ツボの全てと対応するようにした実施と、請求項４に記載したように 、人体背中側にある便秘解消及び便意促進用の一部と対応するようにした実施とが可能である。
【考案の効果】
【０００９】
本考案は請求項１に記載したような構成、すなわち、洋式トイレの蓋体Ｃの内面に対して、便秘解消及び便意促進に効果があるとされる人体背面のツボと対応する形態に、指圧用小突起１,２,３を配設したから、利用者は、便座Ｂに座った状態で体を蓋体Ｃに接触させるように倒せば、当該蓋体Ｃに設けられている指圧用小突起１,２,３が、利用者の背中に対する指圧作用を奏することとなる。  従って、用便の最中における指圧的排便促進は、通常の指圧以上の効果を生じて便秘解消等の目的に直結することとなる。  そして、便意促進作用に基づき、「いきみ」を要することなく排便が行われるため、老人、病人、高血圧者に対する無理のない排便の実行が可能化される。
【００１０】
本考案は請求項２に記載したような構成、すなわち、洋式トイレの蓋体Ｃに被せるためのカバー体４に対して、その蓋体の内面側と対応する面に、便秘解消及び便意促進に効果があるとされる人体背面のツボと対応する形態に、指圧用小突起1a,2a,3aを配設し、当該カバー体４をアダプターとして具備させるように構成したから、請求項１の場合と同様にして便秘解消等の目的が達成される。  そして、便意促進作用に基づき、「いきみ」を要することなく排便が行われるため、老人、病人、高血圧者に対する無理のない排便の実行が可能化される。
更に、カバー体４はアダプター的利用であるため、既存の洋式トイレに対する実施対応の容易性と、定期的洗浄の簡便性と言うような効果を奏することとなる。  
【００１１】
本考案は請求項３に記載のように、指圧用小突起の配設形態を、人体背中側にある便秘解消及び便意促進用ツボの全てと対応するように構成することにより、ツボ指圧の総合的作用を期待することができる。
【００１２】
本考案は請求項４に記載のように、指圧用小突起の配設形態を、人体背中側にある便秘解消及び便意促進用ツボの一部と対応するように構成することにより、ツボ指圧の集中的作用を期待することができる。
【考案を実施するための最良の形態】
【００１３】
便秘の解消及び便意の促進をするための指圧として、体の腹部側に対して施すものと、体の背中側に施すものとがある。  すなわち、体の正面及び背面の両方に便秘等解消のツボが存在することが確認されている。  そして、腹部側のツボに対する指圧は、自分自身で容易に行うことが出来るが、背中側対しては、自分の手を回すことが出来ないため、通常は他者に依存するものである。  然し乍、トイレ内では他者の手を借りることは、羞恥性の点等からも到底出来ないことである。
本考案は、他者の手を借りることなく、トイレ内で背中側のツボに対する指圧を、排便の最中に自ら施すことが出来るようにしたものである。
【００１４】
図１は本考案の第１実施例を表し、同図に於いて、Ａは便器本体であって、起伏自在の便座Ｂが取付けられている。  Ｃは蓋体であって、便器本体Ａに対してその基端部において開閉自在に取付けられている。  Ｄは水洗用水槽であって、蓋体Ｃはその開蓋時においては当該水槽Ｄに寄り掛かった状態で起立状態での安定が図られるように構成されている。  なお、このような構成は既存の洋式トイレに於ける一般的な構成に属する。  従って、本考案はこのような洋式トイレ自体の構成を特徴とするものではなく、既存の洋式トイレに対して改良を施すことにより、指圧機能を具備させたことを特徴とする。
【００１５】
１,２,３は指圧用小突起であって、上記した蓋体Ｃの内面側に、夫々の指圧用小突起が各所定位置にあるように配設してある。  そして、当該小突起１,２,３の所定位置での配設形態であるが、これは便秘解消及び便意促進に効果があるとするツボに対応するように設けてある。
【００１６】
すなわち、排便時に便座Ｂに座った際、蓋体Ｃは背中側に起立状態に位置している。従って、使用者が当該蓋体Ｃに背中を押し当てた際に、上記した指圧用小突起１,２,３が便秘解消等のツボを押圧するような形態に構成するものである。
【００１７】
ところで、一般的には背中側のツボとしては「腎ゆ」、「次りょう」、「大腸りょう」、「下りょう」等が挙げられる。  従って、上記指圧用小突起の配設形態は、これらのツボの全て、または、適宜選定したものと対応する位置に突設するように構成する。  
【００１８】
図３及び図４は本考案の第２実施例を表したものである。  同図において、４は蓋体Ｃにスッポリと被せるように構成したカバー体であって、その蓋体の内面側と対応する面には、上記した第１実施例の場合と同様な形態を具えた指圧用小突起1a,2a,3aが設けられている。  すなわち、第１実施例が蓋体Ｃに対して指圧用小突起を直接取付けるように構成したものである。  これに対して第２実施例は、別体であるカバー体４をアダプター的に蓋体Ｃに被せることにより、第１実施例の場合と同様な指圧効果が得られるように構成したものである。
【００１９】
なお、本考案にあっては、指圧用小突起は蓋体Ｃの内面側に配設することが要件であり、これの取り付け手段は上記したようなカバー体４に依存するように構成する以外、他の適宜手段であっても可とする。  すなわち、図１に示す実施例の場合であっても、指圧用小突起を直接蓋体Ｃに配設する以外、適宜な枠体を介在させて配設するように構成してもよい。
【００２０】
本考案に係る洋式トイレは通常の洋式トイレと同様にして使用に供するものであるが、開蓋状態にある蓋体Ｃは起立状態に保っているため、当該蓋体Ｃに背中をもたれ掛けることに依り、内面に配設されている小突起１,２,３が利用者の背中にある便秘解消のツボを押圧し、便意を促進することとなる。  なお、この時、使用者の腹部側のツボに対する指圧も同時に行うことにより、その効果がより一層高められる。
【００２１】
図２に示す第２実施例の場合は、カバー体４をアダプター的に取付けるものであるが、便秘解消の作用は上記第１実施例の場合と同様である。
【図面の簡単な説明】
【００２２】
【図１】本考案の第１実施例を表した斜視図である。
【図２】本考案の第２実施例とするカバー体４を表した正面図である。
【図３】図２におけるＸ−Ｘ線で切断した拡大断面図である。
【図４】人体背中側の便秘解消及び便意促進に効果があるとされているツボを表した説明用略図である。
【符号の説明】
【００２３】
Ａ        便器本体
Ｂ        便座
Ｃ        蓋体
Ｄ        水洗用水槽
1,2,3      指圧用小突起
４        カバー体  
1a,2a,3a  指圧用小突起
【図１】
0003118889.tif 000003
【図２】
0003118889.tif 000004
【図３】
0003118889.tif 000005
【図４】
0003118889.tif 000006